(57)【特許請求の範囲】
【請求項１】
車両を格納する複数の駐車空間を有し当該駐車空間を、月極め契約による利用と時間貸しによる利用の２つの利用形態で利用される駐車場の運用方法であって、
実際の稼働時刻毎に駐車台数を予測して利用形態別の予測駐車台数を集計する予測駐車台数集計工程と、
実際の稼働時刻毎に駐車可能な駐車空間の全体数に前記利用形態別の前記予測駐車台数を割り振る予測駐車台数割り振り工程と、
時間貸しによる利用車を第一の入庫バースから入庫させ、月極め契約の利用車を第二の入庫バースから入庫させ、入庫してきた車両を当該車両の利用形態に合致する前記利用形態に割り振られた駐車空間に駐車させる駐車指令工程と、
月極め契約車両の入庫要求があると、時間貸し利用車両の入庫を一時停止し、月極め契約車両を割り込ませ、第二の入庫バースから入庫させる利用形態割り込み指示工程と、を備えたことを特徴とする駐車場の運用方法。
【請求項２】
蓄積された過去の入庫データを基にして、所定期間帯または所定時間帯の利用形態別の実績駐車台数を集計した実績駐車台数データバンクをつくる実績駐車台数ＤＢ作成工程を備え、
前記予測駐車台数集計工程が、前記実績駐車台数データバンクを基にして、実際の稼働時刻毎に管理の対象とする利用形態での駐車台数を予測して管理利用形態別の予測駐車台数を集計することを特徴とする請求項１に記載の駐車場の運用方法。
【請求項３】
車両を格納する複数の駐車空間を有し当該駐車空間を、月極め契約による利用と時間貸しによる利用の２つの利用形態で利用される駐車場の運用コンピュータ用の運用制御プログラムであって、
前記運用コンピュータに、
実際の稼働時刻毎に駐車台数を予測して利用形態別の予測駐車台数を集計する予測駐車台数集計機能と、
実際の稼働時刻毎に駐車可能な駐車空間の全体数に前記利用形態別の前記予測駐車台数を割り振る予測駐車台数割り振り機能と、
時間貸しによる利用車を第一の入庫バースから入庫させ、月極め契約の利用車を第二の入庫バースから入庫させ、入庫してきた車両を当該車両の利用形態に合致する前記利用形態に割り振られた駐車空間に駐車させる駐車指令機能と、
月極め契約車両の入庫要求があると、時間貸し利用車両の入庫を一時停止し、月極め契約車両を割り込ませ、第二の入庫バースから入庫させる利用形態割り込み指示機能と、を実現させることを特徴とする駐車場の運用コンピュータ用の運用制御プログラム。
【請求項４】
前記運用コンピュータに、
蓄積された過去の入庫データを基にして、所定期間帯または所定時間帯の利用形態別の実績駐車台数を集計した実績駐車台数データバンクをつくる実績駐車台数ＤＢ作成機能を実現させ、
前記予測駐車台数集計機能が、前記実績駐車台数データベースを基にして、実際の稼働時刻毎に管理の対象とする利用形態での駐車台数を予測して管理利用形態別の予測駐車台数を集計する、ことを特徴とする請求項３に記載の駐車場の運用コンピュータ用の運用制御プログラム。
【発明の詳細な説明】
【０００１】
【発明の属する技術分野】
本発明は、機械式駐車装置と自走式駐車場とを含む駐車場および駐車場の運用方法とその運用制御プログラムに係る。特に複数の利用形態で利用者が利用する駐車場に好適な構造と、その運用方法と運用制御プログラムに関する。
【０００２】
【従来の技術】
最近、都市空間の有効利用のために機械式駐車装置と自走式駐車場とを含む駐車場が用いられる。特に、都心部では、機械式大規模駐車装置が建物と一体化して用いられる。
例えば、大規模駐車装置としてリフト付き平面往復式駐車装置が採用される。リフト付き平面往復式駐車装置とは、駐車の用に供する搬送機または駐車室を平面的に配置し、搬送機の往復により駐車を行う装置であり、搬送機を往復移動させて入出庫を行うと共にその搬送機が駐車室を兼ねる形式と、駐車室と出入口間に搬送機を往復移動させて入出庫をおこなう形式がある。リフト付き平面往復式駐車装置は一般に地下空間に設けられ、リフタが車両を地上と地下の搬送機の間で搬送する。一般にリフタは入庫専用リフタと出庫専用リフタを有する。入庫専用リフタの地上部には入庫バースが設けられ、出庫専用リフタの地上部には出庫バースが設けられる。
従来の機械式駐車場では、一つのフロアに入庫バースと出庫バースを設ける。入庫バースと出庫バースの間に人の往来する専用通路を設けると、車の移動する経路と人の移動する経路が交差しない優れたシステムを構築できる。
また、建物と駐車場を組み合わせた場合、人の移動をスムースにしたり、車の入庫経路と出庫経路を自由に設定する目的から入庫バースを設けるフロアと出庫バースを設けるフロアを違えることもあった。
【０００３】
ところで、最近の都市開発においては、建物の複合的利用が図られるようになり、例えば、一つのビルに商業領域と事務所領域と居住領域をもうけることがある。
このようなビルの地下に大規模駐車場を設けると、利用形態の異なる者が一つの駐車場を利用することとなる。例えば、商業領域に出入りする者は、商業領域にある店に商品や役務を求めに来る客が大半である。これらの者は不特定多数の者であり、駐車場を利用する時は時間貸しの形態で駐車場を利用する。これらの者の利用形態に対応するために、駐車場は駐車券の発行操作、時間単位の駐車料金の徴収、その徴収のチェック、サービス割引等の機能を有する。
一方、事務所領域と居住領域に出入りする者は、事業所の従業員や居住者が大半である。一般に、これらの者は月極め契約を締結している特定の者である。これらの利用形態に対応するため、駐車場は、カード操作と駐車料金の精算のない入庫出庫操作の機能を有する。
【０００４】
従来の駐車場は、リフトと駐車空間を共有し、コスト低減を図っている。すなわち、駐車機構にならんだ駐車空間を月極め契約の車両のために確保し、余った駐車空間を時間貸し利用の車両のために利用する。月極め契約の車両は、入庫バースから駐車機構に下ろされ、月極め契約の車両専用の駐車空間に駐車される。時間貸し利用の車両は、入庫バースから駐車機構に下ろされ、時間貸し利用の車両専用の駐車空間に駐車される。
【０００５】
【発明が解決しようとする課題】
上述の駐車場の場合、月極め契約の車両の駐車空間の数が固定である。一般に、ウィークデイでは、月極め契約の車両は朝方に出庫し、昼間は町を走行し、夕方に入庫する。一方、時間貸し利用の車両は昼間に駐車場へ入出庫する。したがって、月極め契約の車両用の駐車空間が昼間ガラ空きであるにもかかわらず、時間貸しによる利用車両が入庫待ちのために渋滞することがある。
一部の駐車場では、係員が月極め契約の駐車場の空き具合と、時間貸し利用の車両の混み具合をみて、手動によって調整していた。しかし、係員の経験と勘によって行われていたので、非効率であり、煩雑な管理を強いられていた。
【０００６】
本発明は以上に述べた問題点に鑑み案出されたもので、従来の駐車場の運用方法とその運用制御プログラムにかわって、駐車場の駐車空間を有効に利用することのできる駐車場の運用方法とその運用コンピュータの運用制御プログラムを提供しようとする。
【０００７】
【課題を解決するための手段】
上記目的を達成するため、本発明に係る車両を格納する複数の駐車空間を有し当該駐車空間を、月極め契約による利用と時間貸しによる利用の２つの利用形態で利用される駐車場の運用方法は、
実際の稼働時刻毎に駐車台数を予測して利用形態別の予測駐車台数を集計する予測駐車台数集計工程と、
実際の稼働時刻毎に駐車可能な駐車空間の全体数に前記利用形態別の前記予測駐車台数を割り振る予測駐車台数割り振り工程と、
時間貸しによる利用車を第一の入庫バースから入庫させ、月極め契約の利用車を第二の入庫バースから入庫させ、入庫してきた車両を当該車両の利用形態に合致する前記利用形態に割り振られた駐車空間に駐車させる駐車指令工程と、
月極め契約車両の入庫要求があると、時間貸し利用車両の入庫を一時停止し、月極め契約車両を割り込ませ、第二の入庫バースから入庫させる利用形態割り込み指示工程と、を備えたものとした。
【０００８】
上記本発明の構成により、駐車場が車両を格納する複数の駐車空間を有し当該駐車空間を、月極め契約による利用と時間貸しによる利用の２つの利用形態で利用され、予測駐車台数集計工程において実際の稼働時刻毎に駐車台数を予測して利用形態別の予測駐車台数を集計し、予測駐車台数割り振り工程において実際の稼働時刻毎に駐車可能な駐車空間の全体数に前記利用形態別の前記予測駐車台数を割り振り、駐車指令工程において入庫してきた車両を当該車両の利用形態に合致する前記利用形態に割り振られた駐車空間に駐車させるので、駐車場の複数の駐車空間を利用する車両を利用形態毎に区別して駐車させ、複数の駐車空間をその駐車空間に割り振った複数の利用形態毎に有効に利用することができ、駐車空間を有効に利用できる。
また、利用形態割り込み指示工程により、月極め契約車両の入庫要求があると、時間貸し利用車両の入庫を一時停止し、月極め契約車両を割り込ませ、第二の入庫バースから入庫させることができる。
【０００９】
さらに、本発明に係る駐車場の運用方法は、蓄積された過去の入庫データを基にして、所定期間帯または所定時間帯の利用形態別の実績駐車台数を集計した実績駐車台数データバンクをつくる実績駐車台数ＤＢ作成工程を備え、前記予測駐車台数集計工程が、前記実績駐車台数データバンクを基にして、実際の稼働時刻毎に管理の対象とする利用形態での駐車台数を予測して管理利用形態別の予測駐車台数を集計するものとした。
上記本発明の構成により、実績駐車台数ＤＢ作成工程において、蓄積された過去の入庫データを基にして、所定期間帯または所定時間帯の利用形態別の実績駐車台数を集計した実績駐車台数データバンクをつくり、前記予測駐車台数集計工程において、前記実績駐車台数データバンクを基にして、実際の稼働時刻毎に管理の対象とする利用形態での駐車台数を予測して管理利用形態別の予測駐車台数を集計するので、過去の入庫データより作成された実績駐車台数データバンクを基に、複数の駐車空間を利用実態毎に割り振って、複数の駐車空間をその駐車空間に割り振った複数の利用形態毎に有効に利用することができ、駐車空間をさらに有効に利用できる。
【００１０】
また、本発明に係る駐車場の運用方法は、複数の前記管理利用形態が、月決め契約による利用と時間貸しによる利用とであるものとした。
ここで、時間貸しによる利用とは駐車の毎に駐車料金の精算を行う利用をいい、月極め契約による利用とは一定期間の駐車のためのまとまった契約を締結し、駐車の毎には駐車料金の精算をおこなわない利用をいう。
上記本発明の構成により、複数の前記利用形態が、月極め契約による利用と時間貸しによる利用とであるので、月極め契約車両毎と時間貸し車両毎とに駐車場の駐車台数を分けて、月極め契約車両と時間貸し車両とを、それぞれの利用形態に割り振った駐車空間に駐車させ、月極め契約車両毎と時間貸し車両毎とに駐車空間をさらに有効に利用できる。
【００１１】
上記目的を達成するため、本発明に係る車両を格納する複数の駐車空間を有し当該駐車空間を、月極め契約による利用と時間貸しによる利用の２つの利用形態で利用される駐車場の運用コンピュータ用の運用制御プログラムは、
前記運用コンピュータに、
実際の稼働時刻毎に駐車台数を予測して利用形態別の予測駐車台数を集計する予測駐車台数集計機能と、
実際の稼働時刻毎に駐車可能な駐車空間の全体数に前記利用形態別の前記予測駐車台数を割り振る予測駐車台数割り振り機能と、
時間貸しによる利用車を第一の入庫バースから入庫させ、月極め契約の利用車を第二の入庫バースから入庫させ、入庫してきた車両を当該車両の利用形態に合致する前記利用形態に割り振られた駐車空間に駐車させる駐車指令機能と、
月極め契約車両の入庫要求があると、時間貸し利用車両の入庫を一時停止し、月極め契約車両を割り込ませ、第二の入庫バースから入庫させる利用形態割り込み指示機能と、を実現させるものとした。
【００１２】
上記本発明の構成により、駐車場が車両を格納する複数の駐車空間を、月極め契約による利用と時間貸しによる利用の２つの利用形態で利用され、予測駐車台数集計機能により実際の稼働時刻毎に駐車台数を予測して利用形態別の予測駐車台数を集計機能により実際の稼働時刻毎に駐車可能な駐車空間の全体数に前記利用形態別の前記予測駐車台数を割り振り、駐車指令機能により時間貸しによる利用車を第一の入庫バースから入庫させ、月極め契約の利用車を第二の入庫バースから入庫させ、入庫してきた車両を当該車両の利用形態に合致する前記利用形態に割り振られた駐車空間に駐車させるので、駐車場の複数の駐車空間を利用する車両を利用形態毎に区別して駐車させ、複数の駐車空間をその駐車空間に割り振った複数の利用形態毎に有効に利用することができ、駐車空間を有効に利用できる。
また、利用形態割り込み指示機能により、月極め契約車両の入庫要求があると、時間貸し利用車両の入庫を一時停止し、月極め契約車両を割り込ませ、第二の入庫バースから入庫させることができる。
【００１３】
さらに、本発明に係る駐車場の運用コンピュータ用の運用制御プログラムは、前記運用コンピュータに、蓄積された過去の入庫データを基にして、所定期間帯または所定時間帯の利用形態別の実績駐車台数を集計した実績駐車台数データバンクをつくる実績駐車台数ＤＢ作成機能を実現させ、前記予測駐車台数集計機能が、前記実績駐車台数データベースを基にして、実際の稼働時刻毎に管理の対象とする利用形態での駐車台数を予測して管理利用形態別の予測駐車台数を集計するものとした。
上記本発明の構成により、実績駐車台数ＤＢ作成機能により蓄積された過去の入庫データを基にして、所定期間帯または所定時間帯の利用形態別の実績駐車台数を集計した実績駐車台数データバンクをつくり、前記予測駐車台数集計機能により前記実績駐車台数データバンクを基にして実際の稼働時刻毎に管理の対象とする利用形態での駐車台数を予測して管理利用形態別の予測駐車台数を集計するので、過去の入庫データより作成された実績駐車台数データバンクを基に、複数の駐車空間を利用実態毎に割り振って、複数の駐車空間をその駐車空間に割り振った複数の利用形態毎に有効に利用することができ、駐車空間をさらに有効に利用できる。
【００１４】
また、本発明に係る駐車場の運用コンピュータ用の運用制御プログラムは、複数の前記利用形態が、月決め契約による利用と時間貸し利用とであるものとした。
上記本発明の構成により、複数の前記利用形態が、月極め契約による利用と時間貸しによる利用とであるので、月極め契約車両毎と時間貸し車両毎とに駐車場の駐車台数を分けて、月極め契約車両と時間貸し車両とを、それぞれの利用形態に割り振った駐車空間に駐車させ、月極め契約車両毎と時間貸し車両毎とに駐車空間をさらに有効に利用できる。
【００１５】
【発明の実施の形態】
以下、本発明の好ましい実施形態を、図面を参照して説明する。なお、各図において、共通する部分には同一の符号を付し、重複した説明を省略する。
【００１６】
本発明の実施形態に係る機械式駐車装置の構造を説明する。図１は、本発明の実施形態の概念図である。
【００１７】
機械式駐車装置１０は、駐車機構１７と入庫機構１１と出庫機構１４とからなる。その機械式駐車装置１０は、建物２０の地下に据え付けられる。その建物２０に分離された領域は、第一の往来区画と第二の往来区画とを有する。第一の往来区画２１は、不特定多数の者が出入り自由な区画であり、例えば商店等が並んだ商業目的利用区画である。第二の往来区画２２は、特定の者だけが入ることができる様に管理された区画であり、例えば、法人、事務所等がならんだ事業所目的利用区画または住居がならんだ居住目的利用区画である。第一の往来区画２１へは、不特定多数の者が自由に出入りできる。第二の往来区画２２へは、許可を得たものだけが入ることできる様に管理されている。例えば、第二の領域２２へ入ろうとする者は、例えば非接触式ＩＣカードの提示を求められる。建物の地上一階は、第一の往来区画となっており、地下一階は、第二の往来区画となっている。
【００１８】
入庫機構１１は、入庫用のリフトであり、駐車機構１７と第一の入庫バース１２とをつなぎ、さらに駐車機構１７と第二の入庫バース１３とをつなぐ。第一の入庫バース１２は地上一階に設けられ、地上の道路に繋がっている。第二の入庫バース１３は、地下一階に設けられ、地上からの誘導路に繋がっている。
出庫機構１４は、出庫用のリフトであり、駐車機構１７と第一の出庫バース１５とをつなぎ、さらに駐車機構１７と第二の出庫バース１６とを繋ぐ。第一の出庫バース１５は、地上一階に設けられ、地上の道路に繋がっている。第二の出庫バース１６は、地下一階に設けられ、地上からの誘導路に繋がっている。
【００１９】
次に、この機械式駐車装置への入出庫の仕方を説明する。最初に商業目的利用区画である第一の往来区画へ行く不特定多数の者（以下時間貸し利用者という。）の使用方法を説明する。
時間貸し利用者は、車両を運転して道路から第一の入庫バース１２へ乗り込む。時間貸し利用者は、第一の入庫バース１２に車両を止め、車両から降りる。  車両は、入庫機構１１により地下へ送られ駐車機構１７により駐車する。時間貸し利用者は、駐車券を受け取り、商業目的利用区画専用のエレベータ２４を使用して商業目的利用区画へ行き、商店等により買い物等をおこなう。時間貸し利用者は、用事が済むと、商業目的利用区画専用のエレベータ２４を使用して地上一階にある第一の出庫バースへ行く。駐車券を使用して自分の車両を出庫する様に出庫要求をする。駐車機構１７に駐車した車両が出庫機構１４により第一の出庫バース１５へ出される。時間貸し利用者は、自分の車両に乗り、駐車料金の精算をおこない、通路にでる。
【００２０】
次に事業所目的利用区画または居住目的利用区画である第二の往来区画へ行く特定の者（以下、契約利用者という。）の使用方法を説明する。
契約利用者は、車両を運転して道路から誘導路を経由して地下一階の第二の入庫バース１３へ乗り込む。契約利用者は、第二の入庫バースへ車両を止め、車両から降りる。車両は、入庫機構１１により地下へ送られ駐車機構１７により駐車する。契約利用者は、事業所領域専用または居住目的利用区画専用のエレベータ２３を使用して、事業所所領域または居住目的利用区画へ行く。契約利用者は、車両を出すとき、事業所領域専用または居住目的利用区画専用のエレベータ２３を使用して、地下一階の第二の出庫バース１６へ行く。契約使用者は、専用カードを使用して自分の車両を出庫する様に出庫要求をする。駐車機構１７に駐車した車両が出庫機構１４により第二の出庫バース１６へ出される。契約利用者は、自分の車両に乗り、誘導路を経由して、通路にでる。
【００２１】
次に、機械式駐車装置の運用コンピュータの運用制御プログラムを説明する。図２は、機械式駐車装置の運用制御プログラムの機能ブロック図である。図９は、運用コンピュータの概念図である。
運用コンピュータ３０は、ＣＰＵ３１と第一の入庫バース操作盤３２と第二の入庫バース操作盤３３と第一の出庫バース操作盤３４と第二の出庫バース操作盤３５と機械式駐車装置制御盤３６とメモリー３７と外部記憶装置３８とを備える。
ＣＰＵ３１は運用制御プログラムを実行する装置である。第一の入庫バース操作盤３２は、入庫要求を受け付けるために所定の機構を有する制御盤で、第一の入庫バースに設けられる。第二の入庫バース操作盤３３は、入庫要求を受け付けるために所定の機構を有する制御盤で、第二の入庫バースに設けられる。第一の出庫バース操作盤３４は、出庫要求を受け付けるために所定の機構を有する制御盤で、第一の出庫バースに設けられる。第二の出庫バース操作盤３５は、出庫要求を受け付けるために所定の機構を有する制御盤で、第二の出庫バースに設けられる。機械式駐車装置制御盤３６は、ＣＰＵ３１に制御され機械式駐車装置を動かす装置である。メモリー３７は内部記憶装置であり、運用制御プログラムと制御に必要な所定データが格納される。外部記憶装置３８は、大容量の記憶装置であり、データベース等が格納される。
【００２２】
運用制御プログラム１００は、機械式駐車装置の運用を制御するために、機械式駐車装置の運用コンピュータに所定の機能を実現させるためのプログラムである。その運用制御プログラム１００は、データ蓄積プログラム１０１と実績駐車台数ＤＢ作成プログラム１０２と実績駐車台数データバンク１０３と管理対象利用形態ＤＢ抽出プログラム１０４と予測駐車台数集計プログラム１０５と初期設定プログラム１０６と予測駐車台数割り振りプログラム１０７と駐車指令プログラム１０８と行先案内指示プログラム１０９と満車台数指示プログラム１１０と利用形態別割り込み指示プログラム１１１と利用機械指示プログラム１１２とを有する。
【００２３】
データ蓄積プログラム１０１は、所定期間帯または所定時間帯の入出庫について、利用形態別に入庫の台数と出庫の台数を記録する機能を運用コンピュータに実現させるプログラムである。所定期間または所定時間とは、経験的に入出庫台数に変動が予想される期間であって、例えば、曜日単位の期間、朝方と日中と夕方と夜間の時間帯、特定イベントが行われる期間等である。利用形態とは、機械式駐車装置を利用するための形態であって、例えば、月決め契約による利用か時間貸しによる利用である。また、その他に、駐車場が商業目的に利用される商業目的利用区画と事業所目的で利用される事業所目的利用区画もしくは居住目的で利用される居住目的利用区画とを混在された多目的ビルに備え付けられた駐車場である場合は、複数の利用形態が、利用者の訪問先、利用者の訪問階、月決め契約による利用か時間貸しによる利用か、行き先が商業領域か事業所領域か居住領域か、決済方法が現金決済かサービス券か回数券か、等である。
【００２４】
実績駐車台数ＤＢ作成プログラム１０２は、データ蓄積プログラム１０１が蓄積したデータを加工して複数のデータの集合である実績駐車台数データバンク１０３を作成する機能を運用コンピュータに実現させるプログラムである。
【００２５】
実績駐車台数データバンク１０３は、実績駐車台数ＤＢ作成プログラム１０２が作成したデータを蓄積したデータベースであり、後述の管理対象利用形態ＤＢ抽出プログラム１０４からのデータ要求に応答して、要求された利用形態に対応した実績駐車台数を整理して出力する。
実績駐車台数ＤＢ作成プログラム１０２は、例えば、得意先別分析集約データ１１３と利用形態別分析集約データ１１４と時間帯別利用形態別分析集約データ１１５と利用種別分析集約データ１１６と時間帯別利用台数データ１１７と利用内容別利用台数データ１１８とを有する。
【００２６】
得意先別分析集約データ１１３は、駐車場を利用する利用者が訪ねる店や事業所別に分析をして集約したデータである。図３は、実績駐車台数ＤＢ作成プログラム１０２が得意先別分析集約データ１１３を作成するフローチャートである。得意先別にデータを抽出し（ステップＳ２０１）、データを時間帯別、利用階別、曜日別に分類し（ステップＳ２０２）、それぞれを得意先別に集約し（ステップＳ２０３，Ｓ２０４，Ｓ２０５）、得意先別分析集約データ１１３を作成する。
【００２７】
利用形態別分析集約データ１１４は、駐車場を利用する形態別（例えば、月決め契約による利用や時間貸しにより利用）に分析して集約したデータである。図４は、実績駐車台数ＤＢ作成プログラム１０２が利用形態別分析集約データ１１４を作成するフローチャートである。利用形態別にデータを抽出し（ステップＳ３０１）、データを時間帯別、曜日別に分類し（ステップＳ３０２）、それぞれを利用形態別に集約し（ステップＳ３０３，Ｓ３０４）、利用形態別分析集約データ１１４を作成する。
【００２８】
時間帯別利用形態別分析集約データ１１５は、駐車場所を利用する時間帯と駐車場を利用する形態別に分析して集約したデータである。図５は、実績駐車台数ＤＢ作成プログラム１０２が時間帯別利用形態別分析集約データ１１５を作成するフローチャートである。時間帯別にデータを抽出し（ステップＳ４０１）、データを契約者、時間貸し、その他に分類し（ステップＳ４０２）、それぞれを利用形態別に集約し（ステップＳ４０３，Ｓ４０４、Ｓ４０５）、時間帯別利用形態別分析集約データ１１５を作成する。
【００２９】
利用種別分析集約データ１１６は、駐車場を利用する利用種別（例えば、現金精算、サービス券・回数券）に分析して集約したデータである。図６は、実績駐車台数ＤＢ作成プログラム１０２が利用種別分析集約データ１１６を作成するフローチャートである。利用種別にデータを抽出し（ステップＳ５０１）、そのデータを利用先（例えば、住居棟、商店街、契約店舗、特定会員等）で分類し（ステップＳ５０２）、利用種別（例えば、現金精算、サービス券利用、回数券利用）で分類し（ステップＳ５０３）、それぞれを利用種別に集約し（ステップＳ５０４，Ｓ５０５）、利用種別分析集約データ１１６を作成する。
【００３０】
時間帯別利用台数データ１１７は、時間帯別の利用台数を集計したデータである。図７は、実績駐車台数ＤＢ作成プログラム１０２が時間帯別利用台数データ１１７を作成するフローチャートである。利用台数データを抽出し（ステップＳ６０１）、そのデータを時間帯先（例えば、朝方、日中、夕方等）で分類し（ステップＳ６０２）、それぞれを時間帯別に集約し（ステップＳ６０３，Ｓ６０４、Ｓ６０５）、時間帯別利用台数データ１１７を作成する。
【００３１】
利用内容別利用台数データ１１８は、利用内容別の利用台数を集計したデータである。図８は、実績駐車台数ＤＢ作成プログラム１０２が利用内容別利用台数データ１１８を作成するフローチャートである。利用台数データを抽出し（ステップＳ７０１）、そのデータを利用内容別に分類し（ステップＳ７０２）、それぞれを時間帯別に集約し（ステップＳ７０３，Ｓ７０４、Ｓ７０５）、利用内容別利用台数データ１１８を作成する。
【００３２】
管理対象利用形態ＤＢ抽出プログラム１０４は、管理対象とする利用形態（以下、管理利用形態という）を自動または手動により設定し、その管理利用形態で集約または集計されたデータを実績駐車台数データバンクから抽出して、後述する予測駐車台数集計プログラム１０５へ渡す。
【００３３】
予測駐車台数集計プログラム１０５は、前記実績駐車台数データベースを基にして、実際の稼働時刻毎に管理の対象とする利用形態での駐車台数を予測して管理利用形態別の予測駐車台数を集計する機能を実現するプログラムである。
【００３４】
初期設定プログラム１０６は、実績駐車台数データバンク１０３のデータの数が少ないときに  予測駐車台数集計プログラム１０５へ初期設定された仮のデータを送る機能を実現するプログラムである。
【００３５】
予測駐車台数割り振りプログラム１０７は、実際の稼働時刻毎に駐車可能な駐車空間の全体数に利用形態別の予測駐車台数を割り振る機能を実現するプログラムであり、機械式駐車装置の駐車空間の総数からメンテナンス中の駐車空間の数や特別に予約された駐車空間の数を差し引いて駐車可能な駐車空間の全体数を算定し、その駐車可能な駐車空間の全体数に予測駐車台数集計プログラム１０５の予測した管理利用形態別の予測駐車台数を割り振る。
【００３６】
駐車指令プログラム１０８は、入庫してきた車両を車両の利用形態に合致する利用形態に割り振られた駐車空間に駐車させる機能を実現するプログラムである。
【００３７】
行き先案内指示プログラム１０９は、駐車場に複数の機械式駐車装置や自走式駐車場がある場合に、入庫してきた車両を車両の利用形態に合致する空き駐車空間のある機械式駐車装置または自走式駐車場に車両を案内する機能を実現するプログラムである。
【００３８】
満車台数指示プログラム１１０は、各機械式駐車装置や自走式駐車場に満車台数を指示する機能を実現するプログラムである。
【００３９】
利用形態別割り込み指示プログラム１１１は、利用形態別に優先順位をつけて優先度の高い利用形態の車両を優先的に入庫または出庫させ、その他の車両をその入出庫に割り込ませる機能を実現するプログラムである。例えば、利用形態を時間貸しによる利用と月決め契約による利用とに分けて、時間貸しによる利用車を第一の入庫バースから入庫し、第一の出庫バースから出庫させ、月極め契約による利用車を第二の入庫バースから入庫させ、第二の出庫バースから出庫させる。例えば、時間貸しによる利用車を優先的に入出庫させ、月極め契約による利用車の入出庫要求があった時は、時間貸しによる利用車の入出庫を一時的に停止し、月決め契約による利用車を入出庫させる。
【００４０】
利用機械指示プログラム１１２は、入庫してきた車両をどの機械式駐車装置または自走式駐車装置に駐車させるかを指示する機能を実現するプログラムであっる。
【００４１】
次に、本発明の実施形態に係る駐車場の運用を説明する。
説明の便宜のために、１００台分の駐車が可能な機械式駐車装置をウイークデイに運用する場合を例にとり、管理利用形態を月決めによる利用形態と時間貸しによる利用形態とし、時間帯を朝方、日中、夕方に分けて説明する。本機械式駐車装置には７０台の月決め契約車両があるものとする。また、時間貸しによる利用車を第一の入庫バースまたは第一の出庫バースから入出庫させ、月極め契約による利用車を第二の入庫バースまたは第二の出庫バースから入出庫させるものとする。
【００４２】
管理対象利用形態ＤＢ抽出プログラム１０４が、管理利用形態を時間帯毎の月極め契約利用と時間貸し利用とする。管理対象利用形態ＤＢ抽出プログラム１０４が、実績駐車台数ＤＢ作成プログラム１０２により作成された利用形態別分析集約データ１１４から、管理利用形態にかかるデータを抽出する。抽出した結果、過去のウイークデイの月極め契約車両と時間貸し利用車両と駐車していない駐車ますの数は、時間帯毎に、朝方５０台と１０台と４０台、日中２０台と８０台と０台、夕方６０台と３０台と１０台であるとする。
【００４３】
現在時刻がウイークデイの朝方であるので、予測駐車台数集計プログラム１０５は、月極め契約車両と時間貸し利用車両の台数を６０台と４０台と予測する。予測終車台数割り振りプログラム１０７が機械式駐車装置の１００台の駐車空間を月極め契約車両用６０台、時間貸し利用車両４０台と割り振る。駐車指令プログラム１０８は、割り振られた駐車車両数に基づいて機械式駐車装置を制御する。時間貸しによる利用車を第一の入庫バースから入庫させ、月極め契約の利用車を第二の入庫バースから入庫させる。例えば、３０台の月極め契約車両が駐車し、４０台の時間貸し利用車両が駐車すると、時間貸し利用の車両の入庫を第一の入庫バースで入庫待ちにし、月極め契約車両のみを第二の入庫バースから入庫させる。行先案内指示プログラム１０９が第一の入庫バースで入庫待ちをしている時間貸し利用の車両に空きのある駐車場の入庫場所へ行くように指示を出す。
【００４４】
現在時刻が日中になると、予測駐車台数集計プログラム１０５は、実際の駐車台数と過去の実績データを基にして、月極め契約車両と時間貸し利用車両月極め契約車両と時間貸し利用車両の台数を２２台と７８台と予測する。予測駐車台数割り振りプログラム１０７が機械式駐車装置の１００台の駐車空間を月極め契約車両用２２台、時間貸し利用車両７８台と割り振る。また、特別な内容の契約している車両の駐車空間を入出庫の時間が短くなる位置の駐車空間に割り振る。時間貸しによる利用車を第一の入庫バースから入庫させ、月極め契約の利用車を第二の入庫バースから入庫させる。例えば、２２台の月極め契約車両が駐車し、７０台の時間貸し利用車両が駐車すると、予測駐車台数集計プログラム１０５は、駐車台数の予測を訂正し、月極め契約車両と時間貸し利用車両の台数を２４台と７６台と予測する。予測駐車台数割り振りプログラム１０７が機械式駐車装置の１００台の駐車空間を月極め契約車両用２４台、時間貸し利用車両７６台と割り振る。利用形態割り込み指示プログラム１１１が、時間貸し利用車両を第一の入庫バースまたは第一の出庫バースから優先して入出庫させているが、月極め契約車両の入出庫要求があると、時間貸し利用車両の入庫または出庫を一時停止し、月極め契約車両を割り込ませ、第二の入庫バースまたは第二の出庫バースから入出庫させる。
【００４５】
現在時刻が夕方になると、予測駐車台数集計プログラム１０５は、実際の駐車台数と過去の実績データを基にして、月極め契約車両と時間貸し利用車両月極め契約車両と時間貸し利用車両の台数を６０台と４０台に予測して、以下同様に駐車場を運用制御する。
【００４６】
上述の実施形態の駐車場所の運用方法と運用コンピュータの運用制御プログラムを用いれば、
利用形態（例えば、月極め契約による利用と時間貸しによる利用）毎に駐車台数を予測して、駐車場所の駐車空間に割り振って運用するので、無駄な空き駐車空間をつくらず、駐車場を有効に活用できる。
また、過去の実績データを基にして、利用形態毎の駐車台数を予測するので、誤差の少ない駐車台数の予測ができ、精度の高い駐車空間の割り振りができるので、より効率的な駐車場の運用ができる。
また、管理する利用形態をいろいろな組み合わせで選択して駐車場を運用することができるので、駐車場の顧客と駐車場の経営者の細かい要望に対応することができる。
【００４７】
本発明は以上に述べた実施形態に限られるものではなく、発明の要旨を逸脱しない範囲で各種の変更が可能である。
例えば、  駐車場が商業目的に利用される商業目的利用区画と事業所目的で利用される事業所目的利用区画もしくは居住目的で利用される居住目的利用区画とを混在された多目的ビルに備え付けられた駐車場である場合は、複数の前記利用形態が、利用者の訪問先、利用者の訪問階、月決め契約による利用か時間貸しによる利用か、行き先が商業領域か事業所領域か居住領域か、決済方法が現金決済かサービス券か回数券か、の中から選んだ任意の組み合わせであってもよい。
【００４８】
【発明の効果】
以上説明したように本発明の駐車場所の運用方法と運用コンピュータの運用制御プログラムは、その構成により、以下の効果を有する。
駐車場の複数の駐車空間を利用する車両を利用形態毎に区別して駐車させ、複数の駐車空間をその駐車空間に割り振った複数の利用形態毎に有効に利用することができ、駐車空間を有効に利用できる。
また、過去の入庫データより作成された実績駐車台数データバンクを基に、複数の駐車空間を利用実態毎に割り振って、複数の駐車空間をその駐車空間に割り振った複数の利用形態毎に有効に利用することができ、駐車空間をさらに有効に利用できる。
また、月極め契約車両と時間貸し車両とを、それぞれの利用形態に割り振った駐車空間に駐車させ、月極め契約車両毎と時間貸し車両毎とに駐車空間をさらに有効に利用できる。
従って、駐車場の駐車空間を有効に利用することのできる駐車場の運用方法とその運用制御プログラムを提供できる。
【００４９】
【図面の簡単な説明】
【図１】本発明の実施形態の概念図である。
【図２】本発明の実施形態の運用制御プログラムの機能ブロック図である。
【図３】本発明の実施形態の得意先別分析集約データ１１３を作成するフローチャートである。
【図４】本発明の実施形態の利用形態別分析集約データ１１４を作成するフローチャートである。
【図５】本発明の実施形態の時間帯別利用形態別分析集約データ１１５を作成するフローチャートである。
【図６】本発明の実施形態の利用種別分析集約データ１１６を作成するフローチャートである。
【図７】本発明の実施形態の時間帯別利用台数データ１１７を作成するフローチャートである。
【図８】本発明の実施形態の利用内容別利用台数データ１１８を作成するフローチャートである。
【図９】本発明の実施形態の運用コンピュータの概念図である。
【符号の説明】
１０  機械式駐車装置
１１  入庫機構
１２  第一の入庫バース
１３  第二の入庫バース
１４  出庫機構
１５  第一の出庫バース
１６  第二の出庫バース
１７  駐車機構
２０  建物
２１  商業目的利用区画
２２  事業所目的利用区画または居住目的利用区画
２３  事業所領域専用または居住目的利用区画専用のエレベータ
２４  商業目的利用区画専用のエレベータ
３０  運用コンピュータ
３１  ＣＰＵ
３２  第一の入庫バース操作盤
３３  第二の入庫バース操作盤
３４  第一の出庫バース操作盤
３５  第二の出庫バース操作盤
３６  機械式駐車装置制御盤
３７  メモリー
３８  外部記憶装置
１０１  データ蓄積プログラム
１０２  実績駐車台数ＤＢ作成プログラム
１０３  実績駐車台数データバンク
１０４  管理対象利用形態ＤＢ抽出プログラム
１０５  予測駐車台数集計プログラム
１０６  初期設定プログラム
１０７  予測駐車台数割り振りプログラム
１０８  駐車指令プログラム
１０９  行先案内指示プログラム
１１０  満車台数指示プログラム
１１１  利用形態別割り込み指示プログラム
１１２  利用機械指示プログラム
１１３  得意先別分析集約データ
１１４  利用形態別分析集約データ
１１５  時間帯別利用形態別分析集約データ
１１６  利用種別分析集約データ
１１７  時間帯別利用台数データ
１１８  利用内容別利用台数データ
【図１】
0004698083.tif 000002
【図２】
0004698083.tif 000003
【図３】
0004698083.tif 000004
【図４】
0004698083.tif 000005
【図５】
0004698083.tif 000006
【図６】
0004698083.tif 000007
【図７】
0004698083.tif 000008
【図８】
0004698083.tif 000009
【図９】
0004698083.tif 000010